(57)【要約】【課題】駆動手段３５の回転数が高い脱水において、耳障りな高周波音が洗濯機外枠３０の外部まで伝わり、洗濯機の動作音が不快なものになるという問題を有していた。【解決手段】洗濯機外枠３０に設けられた弾性体３１により支持された外槽３３と、外槽３３内に回転可能に設けられた洗濯兼脱水槽３４と、外槽３３に設けたモータ（駆動手段）３５の回転を洗濯兼脱水槽３４に伝達する伝達手段４５とを備え、伝達手段４５は、モータ３５に設けた第１のプーリ４２と、洗濯兼脱水槽３４に設けた第２のプーリ４３と、第１のプーリ４２と第２のプーリ４３を回転自在に連結する伝達ベルト４４で構成し、第１のプーリ４２を所定の周波数の音を遮音する遮音手段４６で覆ったものであり、これによって、耳障りな音を遮音することができ、快適な動作音を有する洗濯機を実現することができる。【選択図】図１
2011104226.tif 000002
【特許請求の範囲】
【請求項１】
洗濯機外枠に設けられた弾性体により支持された外槽と、前記外槽内に回転可能に設けられた洗濯兼脱水槽と、前記外槽に設けた駆動手段の回転を前記洗濯兼脱水槽に伝達する伝達手段とを備え、前記伝達手段は、前記駆動手段に設けた第１のプーリと、前記洗濯兼脱水槽に設けた第２のプーリと、前記第１のプーリと前記第２のプーリを回転自在に連結する伝達ベルトで構成し、前記第１のプーリを所定の周波数の音を遮音する遮音手段で覆った洗濯機。
【請求項２】
遮音手段は、開口部の一部を覆う遮音体を備えた請求項１記載の洗濯機。
【請求項３】
遮音手段は、外槽と一体に形成し、内壁に所定の周波数の音を吸音する吸音体を設けた請求項１記載の洗濯機。
【請求項４】
遮音手段は、内壁と吸音体の間に空間を設けた請求項３記載の洗濯機。
【請求項５】
遮音手段は、内壁に所定の周波数の音を消音する消音部を一体に形成した請求項３記載の洗濯機。
【請求項６】
遮音手段は、可撓性を有する吸音体とした請求項１記載の洗濯機。
【発明の詳細な説明】
【技術分野】
【０００１】
本発明は、洗濯機本体内に弾性的に支持した外槽内に回転自在に配設した洗濯兼脱水槽内で洗濯物の洗濯、すすぎ、脱水（更に乾燥まで行う場合もある）を行う洗濯機に関するものである。
【背景技術】
【０００２】
従来、この種の洗濯機は、モータを伸縮性を有する遮音部材で覆い、遮音部材の一端をモータ近辺に固定し、更に、遮音部材にモータと洗濯機本体外部とを連通する連通路を設ける構成としたものである（例えば、特許文献１参照）。
【０００３】
図９は、特許文献１に記載された従来の洗濯機の遮音部材の構成を示すものである。図９に示すように、遮音部材８は、ゴム、樹脂その他の材料により形成され、内部にモータ９と冷却ファン１０を収容している。遮音部材８の一端は洗濯機本体１の後部に、他端はモータ９の近辺の外槽３に固定されている。遮音部材８には、凹凸部１１を設けて伸縮性を持たせている。連通路１２は、モータ９と洗濯機本体１の外部とを連通している。連通路１２は仕切板１３によって上下に分けられ、上側をモータ９を冷却する空気が流れ、下側を冷却後の空気が洗濯機本体１の外部へと流れている。モータ９の回転は、プーリ１４、ベルト１５を介して伝達機構部（図示せず）に伝えられる。洗濯および脱水は、モータ９の回転によって行われ、モータ９は騒音を発生するが、遮音部材８によってほぼ全方面にわたって遮音することができるというものである。
【先行技術文献】
【特許文献】
【０００４】
【特許文献１】特開昭６１−２６５１９１号公報
【発明の概要】
【発明が解決しようとする課題】
【０００５】
しかしながら、前記従来の構成では、遮音部材８は、モータ９が発生する騒音を遮音しているが、プーリ１４とベルト１５が発生するベルト駆動音は遮音されていない。従って、モータ９の回転数が高い脱水において、耳障りな高周波音が洗濯機本体１の外部まで伝わり、洗濯機の動作音が不快なものになるという問題を有していた。
【０００６】
本発明は、前記従来の課題を解決するもので、プーリとベルトが駆動する時に発生する耳障りな高周波音を遮音し、快適な動作音を有する洗濯機を実現することを目的とする。
【課題を解決するための手段】
【０００７】
前記従来の課題を解決するために、本発明の洗濯機は、モータのプーリを覆う遮音手段を設け、プーリとベルトが発生するベルト駆動音の高周波成分を除去したものである。
【０００８】
これによって、耳障りな音を遮音することができ、快適な動作音を有する洗濯機を実現することができる。
【発明の効果】
【０００９】
本発明の洗濯機は、モータのプーリを覆う遮音手段を設け、プーリとベルトが発生するベルト駆動音の高周波成分を除去することで耳障りな音を遮音することができ、快適な動作音を有する洗濯機を実現することができる。
【図面の簡単な説明】
【００１０】
【図１】本発明の実施の形態１における洗濯機の縦断面図
【図２】同洗濯機の要部背面図
【図３】同洗濯機の騒音の周波数分析を示すグラフ
【図４】本発明の実施の形態２における洗濯機の要部斜視図
【図５】本発明の実施の形態３における洗濯機の要部背面図
【図６】本発明の実施の形態４における洗濯機の要部断面図
【図７】本発明の実施の形態５における洗濯機の要部断面図
【図８】本発明の実施の形態６における洗濯機の背面図
【図９】従来の洗濯機の要部断面図
【発明を実施するための形態】
【００１１】
第１の発明は、洗濯機外枠に設けられた弾性体により支持された外槽と、前記外槽内に回転可能に設けられた洗濯兼脱水槽と、前記外槽に設けた駆動手段の回転を前記洗濯兼脱水槽に伝達する伝達手段とを備え、前記伝達手段は、前記駆動手段に設けた第１のプーリと、前記洗濯兼脱水槽に設けた第２のプーリと、前記第１のプーリと前記第２のプーリを回転自在に連結する伝達ベルトで構成し、前記第１のプーリを所定の周波数の音を遮音する遮音手段で覆った洗濯機とすることにより、プーリとベルトが発生するベルト駆動音の高周波成分を除去することができ、耳障りな音が無い快適な動作音を有する洗濯機を実現することができる。
【００１２】
第２の発明は、特に、第１の発明の遮音手段は、開口部の一部を覆う遮音体を備えた洗濯機とすることにより、開口部の面積を小さくすることができ、開口部から漏れるベルト駆動音を少なくすることができる。
【００１３】
第３の発明は、特に、第１の発明の遮音手段は、外槽と一体に形成し、内壁に所定の周波数の音を吸音する吸音体を設けた洗濯機とすることにより、遮音手段を取り付ける部品を無くすことができ、安価に遮音手段を構成することができる。
【００１４】
第４の発明は、特に、第３の発明の遮音手段は、内壁と吸音体の間に空間を設けた洗濯機とすることにより、プーリとベルトが発生するベルト駆動音の高周波成分を効率よく除去することができ、更に快適な動作音を有する洗濯機を実現することができる。
【００１５】
第５の発明は、特に、第３の発明の遮音手段は、内壁に所定の周波数の音を消音する消音部を一体に形成した洗濯機とすることにより、吸音体を無くすことができ、更に安価に遮音手段を構成することができる。
【００１６】
第６の発明は、特に、第１の発明の遮音手段は、可撓性を有する吸音体とした洗濯機とすることにより、外槽の振動が遮音手段に伝達されても遮音手段が振動を吸収するので騒音を発生しにくくなり、また、外槽が大きく振動して、遮音手段が洗濯機外枠に衝突しても遮音手段が撓むので、衝突音を小さくすることができる。
【００１７】
以下、本発明の実施の形態について、図面を参照しながら説明する。なお、この実施の形態によって本発明が限定されるものではない。
【００１８】
（実施の形態１）
図１は、本発明の実施の形態１における洗濯機の縦断面図、図２は、同洗濯機の要部背面図、図３は同洗濯機の騒音の周波数分析を示すグラフを示すものである。
【００１９】
図１〜図３において、洗濯機外枠３０は、４本の弾性体３１と、２本の減衰装置３２に
より外槽３３を弾性支持している。洗濯兼脱水槽３４は、外槽３３内に回転自在に配設している。モータ（駆動手段）３５は、ブラシレス直流モータから成っており、インバータ制御され、回転速度が自在に変化されるようになっている。給水手段３６は洗濯兼脱水槽３４内に給水するものである。水位検知手段３７は、外糟３３内の洗濯水位を検知する。排水手段（図示せず）は、外槽３３内の洗濯水を排水するものである。ウエイト３８は外槽３３に取り付けられており、外槽３３の質量を増加させ、外槽３３の振動を抑制するものである。
【００２０】
制御装置３９は、洗濯機外枠３０の前面下部に設けられている。制御装置３９は、洗濯機外枠３０の前面上部に設けられた操作表示手段４０により入力された設定内容に基づいて洗い、すすぎ、脱水の各工程を逐次制御するもので、パワースイッチング手段（図示せず）を介してモータ３５、給水手段３６、排水手段などを逐次制御する。
【００２１】
減衰装置３２は、オイルを作動流体とする粘性ダンパーで、脱水起動時の外槽３３の共振振動振幅を低減するものであり、洗濯機外枠の底部３０ａと外槽３３の底部３３ａの間に固定されている。脚４１はゴムなどの弾性材料で構成され、洗濯機外枠の底部３０ａの四隅に配置されている。
【００２２】
駆動手段３５には第１のプーリ４２が、洗濯兼脱水槽３４には第２のプーリ４３が設けられており、両者は、伝達ベルト４４によって回転自在に連結され伝達手段４５を構成している。第１のプーリ４２と第２のプーリ４３の減速比は１０：１に設定している。遮音手段４６は樹脂製で略箱状に形成されており、第１のプーリ４２を覆うようにその開口部４６ａを外槽３３の底部に固定している。
【００２３】
以上のように構成された洗濯機について、以下その動作、作用を説明する。
【００２４】
まず、洗濯兼脱水槽３４内に衣類と洗剤を投入後、操作表示手段４０を操作して運転を開始する。これによって、給水手段３６が動作し、洗濯兼脱水槽３４内に洗濯水が供給されると共に洗濯兼脱水槽３４も回転を開始する。規定量の洗濯水が供給されると給水手段３６は給水を停止する。洗濯兼脱水槽３４の回転によって、洗剤は洗濯水に溶かされ、洗濯液となって衣類に浸透する。洗濯兼脱水槽３４は、３０〜５０ｒ／ｍｉｎ（駆動手段の回転数：３００〜５００ｒ／ｍｉｎ）程度の低速で回転して、衣類を持ち上げては落とすというたたき洗いを規定時間行う。この回転数では、耳障りな高周波音は発生しない。
【００２５】
洗濯終了後、排水手段が作動し、汚れを溶かし込んだ洗濯水は、外槽３３の外に排水される。排水終了後、洗濯兼脱水槽３４の回転は徐々に速くなり脱水工程に入る。脱水起動後、洗濯兼脱水槽３４の回転数が上昇して定常回転数である９００ｒ／ｍｉｎに達すると、駆動手段３５の回転数は９０００ｒ／ｍｉｎになっており、第１のプーリ４２と伝達ベルト４４の接触音による４ｋＨｚ〜８ｋＨｚの騒音レベルが高くなり、耳障りとなっている。しかしながら、遮音手段４６で第１のプーリ４２を覆ったことにより、その周波数帯の騒音レベルを下げることができ、耳障りな音を消すことができる。
【００２６】
以上のように本実施の形態においては、第１のプーリ４２を所定の周波数の音を遮音する遮音手段４６で覆ったことにより、プーリとベルトが発生するベルト駆動音の高周波成分を除去することができ、耳障りな音が無い快適な動作音を有する洗濯機を実現することができる。また、遮音手段４６は第１のプーリ４２のみを覆い、駆動手段３５を覆っていないので駆動手段３５の放熱を妨げることがなく駆動手段３５の温度上昇の悪化はない。
【００２７】
（実施の形態２）
図４は、本発明の実施の形態２の洗濯機の要部斜視図である。図４において、第１の発
明の遮音手段４６は、開口部４６ａの一部を覆う遮音体４６ｂを備えたものである。その他の構成は、実施の形態１と同様である。
【００２８】
この構成により、開口部４６ａの面積を小さくすることができ、開口部４６ａから漏れるベルト駆動音を少なくすることができる。
【００２９】
（実施の形態３）
図５は、本発明の実施の形態３の洗濯機の要部背面図である。図５において、第１の発明の遮音手段４６は、外槽３３と一体に形成し、内壁４６ｃに４ｋＨｚ〜８ｋＨｚの周波数帯の音を吸音する吸音体４７を設けたものである。その他の構成は、実施の形態１と同様である。
【００３０】
これにより、遮音手段４６を取り付ける部品を無くすことができ、安価に遮音手段４６を構成することができる。
【００３１】
（実施の形態４）
図６は、本発明の実施の形態４の洗濯機の要部背面図である。図６において、第１の発明の遮音手段４６は、内壁４６ｃと吸音体４７の間に空間４８を設け、空間４８の幅を４ｋＨｚ〜８ｋＨｚの１／４波長に近い１０ｍｍ〜２０ｍｍとしたものである。その他の構成は、実施の形態１と同様である。
【００３２】
この構成により、プーリとベルトが発生するベルト駆動音の高周波成分を効率よく除去することができ、更に快適な動作音を有する洗濯機を実現することができる。
【００３３】
（実施の形態５）
図７は、本発明の実施の形態５の洗濯機の要部断面図である。図７において、第１の発明の遮音手段４６は、内壁４６ｃに４ｋＨｚ〜８ｋＨｚの周波数の音を消音する消音部４９を一体に形成している。消音部４９は消音室４９ａ、消音口４９ｂで構成されている。消音口４９ｂの幅は０．５ｍｍに設定している。消音室４９ａの寸法Ｒを変えることにより消音する周波数を決めている。４ｋＨｚでは、Ｒ＝５ｍｍ、６ｋＨｚではＲ＝３．５ｍｍ、８ｋＨｚでは、Ｒ＝２．７ｍｍとしている。以上のように３種類の消音室４９ａを設けている。その他の構成は、実施の形態１と同様である。
【００３４】
この構成により、吸音体を無くすことができ、更に安価に遮音手段４６を構成することができる。
【００３５】
（実施の形態６）
図８は、本発明の実施の形態６の洗濯機の背面図である。図８において、第１の発明の遮音手段４６は、可撓性を有する吸音体としたものである。その他の構成は、実施の形態１と同様である。
【００３６】
この構成によれば、外槽３３の振動が遮音手段４６に伝達されても、遮音手段４６が振動を吸収するので騒音を発生しにくくなる。また、外槽３３が大きく振動して、遮音手段４６が洗濯機外枠３０に衝突しても遮音手段４６が撓むので、衝突音を小さくすることができる。
【産業上の利用可能性】
【００３７】
以上のように、本発明にかかる洗濯機は、駆動手段のプーリ部に遮音手段を設けることで、脱水時の耳障りな音を無くすことができるので、洗濯機以外の回転機械の防音にも応用可能である。
【符号の説明】
【００３８】
３０  洗濯機外枠
３１  弾性体
３３  外槽
３４  洗濯兼脱水槽
３５  モータ（駆動手段）
４２  第１のプーリ
４３  第２のプーリ
４４  伝達ベルト
４５  伝達手段
４６  遮音手段
４６ａ  開口部
４６ｂ  遮音体
４６ｃ  内壁
４７  吸音体
４８  空間
４９  消音部
【図１】
2011104226.tif 000003
【図２】
2011104226.tif 000004
【図３】
2011104226.tif 000005
【図４】
2011104226.tif 000006
【図５】
2011104226.tif 000007
【図６】
2011104226.tif 000008
【図７】
2011104226.tif 000009
【図８】
2011104226.tif 000010
【図９】
2011104226.tif 000011